【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
外部から同期情報を取得する取得手段と、
前記取得した同期情報に基づき第１の同期信号を再生する同期信号再生手段と、
前記再生した同期信号に基づいて再生クロックを生成する再生クロック生成手段と、
前記再生クロックに基づき楽音を生成又は処理する処理手段と、
前記外部から取得する同期情報の異常状態を検出する検出手段と、
前記第１の同期信号とは独立した第２の同期信号を生成する同期信号生成手段と、
前記検出手段が異常状態を検出したことに応じて前記再生クロック生成手段に供給する同期信号を前記第２の同期信号に切り替える切り替え手段と
を有する楽音信号処理装置。
【請求項２】
前記検出手段は、前記同期情報の取得時間間隔がほぼ所定周期ごとになされなかった場合に、前記外部から取得する同期情報の異常状態を検出する請求項１記載の楽音信号処理装置。
【請求項３】
前記同期情報は時刻情報を含み、
前記検出手段は、順次取得した同期情報に含まれる前記時刻情報が指し示す時間間隔がほぼ等間隔でなかった場合に、前記外部から取得する同期情報の異常状態を検出する請求項１記載の楽音信号処理装置。
【請求項４】
第１の同期信号を生成する同期信号生成手段と、
前記再生した同期信号に基づいて再生クロックを生成する再生クロック生成手段と、
前記再生クロックに基づき楽音を生成又は処理する処理手段と、
外部から同期情報を取得する取得手段と、
前記取得した同期情報に基づき第２の同期信号を再生する同期信号再生手段と、
前記外部から取得する同期情報の正常状態を検出する検出手段と、
前記検出手段が正常状態を検出したことに応じて前記再生クロック生成手段に供給する同期信号を前記第２の同期信号に切り替える切り替え手段と
を有する楽音信号処理装置。
【請求項５】
前記検出手段は、少なくとも前記同期情報の取得時間間隔がほぼ所定周期ごとになされた場合に、前記外部から取得する同期情報の正常状態を検出する請求項４記載の楽音信号処理装置。
【請求項６】
前記同期情報は時刻情報を含み、
前記検出手段は、少なくとも順次取得した同期情報に含まれる前記時刻情報が指し示す時間間隔がほぼ等間隔であった場合に、前記外部から取得する同期情報の正常状態を検出する請求項４記載の楽音信号処理装置。
【請求項７】
前記同期情報は時刻情報を含み、
前記検出手段は、前記同期情報の取得時間間隔がほぼ所定周期ごとであって、かつ、順次取得した同期情報に含まれる前記時刻情報が指し示す時間間隔がほぼ等間隔であった場合に、前記外部から取得する同期情報の正常状態を検出する請求項４記載の楽音信号処理装置。
【請求項８】
マスターノードと、楽音を生成又は処理する１乃至複数のスレーブノードと、前記各ノード間を接続する通信ネットワークとから構成されるネットワークシステムであって、
前記マスターノードは、前記通信ネットワークを介して他のノードに対して同期情報を送出する同期情報送出手段を有し、
前記スレーブノードは、前記通信ネットワークを介して、前記マスターノードから同期情報を取得する取得手段と、前記取得した同期情報に基づき第１の同期信号を再生する同期信号再生手段と、前記第１の同期信号に基づいて再生クロックを生成する再生クロック生成手段と、前記再生クロックに基づき楽音を生成又は処理する処理手段と、前記マスターノードから取得する同期情報の異常状態を検出する検出手段と、前記第１の同期信号とは独立した第２の同期信号を生成する同期信号生成手段と、前記検出手段が異常状態を検出したことに応じて前記再生クロック生成手段に供給する同期信号を前記第２の同期信号に切り替える切り替え手段とを有することを特徴とするネットワークシステム。
【請求項９】
マスターノードと、楽音を生成又は処理する１乃至複数のスレーブノードと、前記各ノード間を接続する通信ネットワークとから構成されるネットワークシステムであって、
前記マスターノードは、前記通信ネットワークを介して他のノードに対して同期情報を送出する同期情報送出手段を有し、
前記スレーブノードは、第１の同期信号を生成する同期信号生成手段と、前記再生した同期信号に基づいて再生クロックを生成する再生クロック生成手段と、前記再生クロックに基づき楽音を生成又は処理する処理手段と、前記通信ネットワークを介して、マスターノードから同期情報を取得する取得手段と、前記取得した同期情報に基づき第２の同期信号を再生する同期信号再生手段と、前記マスターノードから取得する同期情報の正常状態を検出する検出手段と、前記検出手段が正常状態を検出したことに応じて前記再生クロック生成手段に供給する同期信号を前記第２の同期信号に切り替える切り替え手段とを有することを特徴とする。
【手続補正２】
【補正対象書類名】明細書
【補正対象項目名】００１２
【補正方法】変更
【補正の内容】
【００１２】
【課題を解決するための手段】本発明の一観点によれば、楽音信号処理装置は、外部から同期情報を取得する取得手段と、前記取得した同期情報に基づき第１の同期信号を再生する同期信号再生手段と、前記再生した同期信号に基づいて再生クロックを生成する再生クロック生成手段と、前記再生クロックに基づき楽音を生成又は処理する処理手段と、前記外部から取得する同期情報の異常状態を検出する検出手段と、前記第１の同期信号とは独立した第２の同期信号を生成する同期信号生成手段と、前記検出手段が異常状態を検出したことに応じて前記再生クロック生成手段に供給する同期信号を前記第２の同期信号に切り替える切り替え手段とを有する。
また、本発明の他の観点によれば、楽音信号処理装置は、第１の同期信号を生成する同期信号生成手段と、前記再生した同期信号に基づいて再生クロックを生成する再生クロック生成手段と、前記再生クロックに基づき楽音を生成又は処理する処理手段と、外部から同期情報を取得する取得手段と、前記取得した同期情報に基づき第２の同期信号を再生する同期信号再生手段と、前記外部から取得する同期情報の正常状態を検出する検出手段と、前記検出手段が正常状態を検出したことに応じて前記再生クロック生成手段に供給する同期信号を前記第２の同期信号に切り替える切り替え手段とを有する。
また、本発明のさらに他の観点によれば、マスターノードと、楽音を生成又は処理する１乃至複数のスレーブノードと、前記各ノード間を接続する通信ネットワークとから構成されるネットワークシステムは、前記マスターノードは、前記通信ネットワークを介して他のノードに対して同期情報を送出する同期情報送出手段を有し、前記スレーブノードは、前記通信ネットワークを介して、前記マスターノードから同期情報を取得する取得手段と、前記取得した同期情報に基づき第１の同期信号を再生する同期信号再生手段と、前記第１の同期信号に基づいて再生クロックを生成する再生クロック生成手段と、前記再生クロックに基づき楽音を生成又は処理する処理手段と、前記マスターノードから取得する同期情報の異常状態を検出する検出手段と、前記第１の同期信号とは独立した第２の同期信号を生成する同期信号生成手段と、前記検出手段が異常状態を検出したことに応じて前記再生クロック生成手段に供給する同期信号を前記第２の同期信号に切り替える切り替え手段とを有することを特徴とする。
また、本発明のさらに他の観点によれば、マスターノードと、楽音を生成又は処理する１乃至複数のスレーブノードと、前記各ノード間を接続する通信ネットワークとから構成されるネットワークシステムは、前記マスターノードは、前記通信ネットワークを介して他のノードに対して同期情報を送出する同期情報送出手段を有し、前記スレーブノードは、第１の同期信号を生成する同期信号生成手段と、前記再生した同期信号に基づいて再生クロックを生成する再生クロック生成手段と、前記再生クロックに基づき楽音を生成又は処理する処理手段と、前記通信ネットワークを介して、マスターノードから同期情報を取得する取得手段と、前記取得した同期情報に基づき第２の同期信号を再生する同期信号再生手段と、前記マスターノードから取得する同期情報の正常状態を検出する検出手段と、前記検出手段が正常状態を検出したことに応じて前記再生クロック生成手段に供給する同期信号を前記第２の同期信号に切り替える切り替え手段とを有する
ことを特徴とする。